(57)【特許請求の範囲】
【請求項１】
受動ＲＦ識別装置（２）のためのプロトコル管理方法であって、この受動ＲＦ識別装置（２）は、第１周波数で第１問い合せ電磁界を送信する第１リーダから、及び前記第１周波数とは異なる第２周波数で第２問い合せ電磁界を送信する独立した第２リーダから、パワーを取り込むために配列され、この識別装置は、前記第１リーダと共に第１通信プロトコルを遂行するために配列された第１インターフェース（６）と、前記第２リーダと共に第２通信プロトコルを遂行するために配列された第２インターフェース（１６）とを有し、この識別装置は発電装置（２２）を備え、この発電装置（２２）が配列されるのは、前記第１インターフェースが活性状態にあり、且つ前記第１通信プロトコルが実行される間に、前記第２リーダが、この識別装置に部分的又は完全にパワー供給することを可能にするため、及び、前記第２インターフェースが活性状態にあり、且つ前記第２通信プロトコルが実行される間に、前記第１リーダが、この識別装置に部分的又は完全にパワー供給することを可能にするためであり、前記識別装置は、前記第１通信プロトコルを実行するための、少なくとも第１の決定されたパワーレベル、及び前記第２通信プロトコルを実行するための、少なくとも第２の決定されたパワーレベルを、前記発電装置から必要とする、プロトコル管理方法において、
前記識別装置は、前記第１問い合せ電磁界のための第１電磁界検出器（３６）と、前記第２問い合せ電磁界のための第２電磁界検出器（３８）とを備え、第１電磁界検出器（３６）は、この第１問い合せ電磁界の受信を見守るために、前記第１通信プロトコルを実行する間に少なくとも活性化され、第２電磁界検出器（３８）は、この第２問い合せ電磁界の受信を見守るために、前記第２通信プロトコルを実行する間に少なくとも活性化され、
もし、前記第１及び第２通信プロトコルの中のいずれかの通信プロトコルを実行する間に、そして、前記発電装置によって提供されるパワーが前記いずれかの通信プロトコルに対応する第１又は第２の決定されたパワーレベルに等しいままか、又はこれよりも優勢なままである間に、前記いずれかの通信プロトコルに対応する第１又は第２の問い合せ電磁界の受信が、前記いずれかの通信プロトコルに対応する第１又は第２の電磁界検出器によって、もはや検出されない場合には、この通信プロトコルは停止され、且つ前記識別装置は、この通信プロトコルに関してスタンバイ状態に入り、このスタンバイ状態は、前記発電装置によって提供される前記パワーが、前記いずれかの通信プロトコルに対応する第１又は第２の決定されたパワーレベルに等しいままか、又はこれよりも優勢なままであるような状態であり、且つ、
前記識別装置が前記スタンバイ状態にある場合、前記いずれかの通信プロトコルに対応する第１又は第２の電磁界検出器は、前記いずれかの通信プロトコルに対応する第１又は第２の問い合せ電磁界が、前記識別装置によって再び受信されるかどうかを検出し、及び、前記いずれかの通信プロトコルに対応する第１又は第２の問い合せ電磁界が再び受信される場合には、前記いずれかの通信プロトコルの再始動を引き起こすために、前記いずれかの通信プロトコルに対応する第１又は第２の問い合せ電磁界の受信を見守り続けることを特徴とする、プロトコル管理方法。
【請求項２】
請求項１に記載のプロトコル管理方法であって、
前記識別装置が、この通信プロトコルに関して前記スタンバイ状態に入る場合、前記いずれかの通信プロトコルはリセットされることを特徴とする、プロトコル管理方法。
【請求項３】
請求項１又は２に記載のプロトコル管理方法であって、
前記いずれかの通信プロトコルを遂行する、前記いずれかの通信プロトコルに対応する第１又は第２インターフェースは、前記識別装置が前記スタンバイ状態に入る場合、少なくとも部分的に非活性化されることを特徴とする、プロトコル管理方法。
【請求項４】
請求項３に記載のプロトコル管理方法であって、
前記識別装置が前記スタンバイ状態にある場合、前記いずれかの通信プロトコルに対応する第１又は第２インターフェースのアナログ・フロントエンドは、前記対応する第１又は第２の電磁界検出器が活性である間に、非活性化されることを特徴とする、プロトコル管理方法。
【請求項５】
請求項３又は４に記載のプロトコル管理方法であって、
前記いずれかの通信プロトコルに対応する第１又は第２インターフェースの論理ユニットは、前記識別装置が前記スタンバイ状態にある場合、少なくとも部分的に非活性化されることを特徴とする、プロトコル管理方法。
【請求項６】
請求項１から５のいずれか一項に記載のプロトコル管理方法であって、
前記いずれかの通信プロトコルを遂行する、前記いずれかの通信プロトコルに対応する第１又は第２インターフェースに関連付けられ、且つ前記識別装置の更なる活性な通信プロトコルと共有されない不揮発性メモリは、前記識別装置が前記スタンバイ状態に入る場合、非活性化されることを特徴とする、プロトコル管理方法。
【請求項７】
請求項１から６のいずれか一項に記載のプロトコル管理方法であって、
前記第１問い合せ電磁界の前記第１周波数は、ＵＨＦ範囲内にあり、且つ前記第１通信プロトコルは、ＥＰＣ標準に対応し、且つ前記識別装置は、前記ＥＰＣ標準に従って前記第１通信プロトコルを実行する間に、周期的に再充電されるコンデンサによって形成される持続性フラグ（３２）を更に備える、プロトコル管理方法において、これらの持続性フラグの再充電は、前記識別装置が、この第１通信プロトコルに関して前記スタンバイ状態に入る場合、無効化されることを特徴とする、プロトコル管理方法。
【請求項８】
請求項１から７のいずれか一項に記載のプロトコル管理方法であって、
前記識別装置は、前記いずれかの通信プロトコルに関して非活性状態に入るが、このことが当てはまるのは、もし、前記いずれかの通信プロトコルに関する前記スタンバイ状態の間に、前記発電装置によって提供される前記パワーが、前記いずれかの通信プロトコルに対応する第１又は第２の決定されたパワーレベル未満に落ちるならば、という条件を満たす場合であり、前記識別装置はこの非活性状態を離れるが、このことが当てはまるのは、もし前記発電装置によって提供される前記パワーが、前記いずれかの通信プロトコルに対応する第１又は第２の決定されたパワーレベルに再び等しいか、又はこれよりも優勢であるならば、という条件を満たす場合だけであることを特徴とする、プロトコル管理方法。
【請求項９】
請求項１から８のいずれか一項に記載のプロトコル管理方法であって、
前記識別装置がパワーオンされた後、装置構成が実行され、且つ前記第１及び第２通信プロトコルの中の各通信プロトコルに対する初期プロトコル構成は、この通信プロトコルを最初に実行する前、又は／及びこの通信プロトコルを最初に実行する間に実行される、プロトコル管理方法において、
前記識別装置は、前記いずれかの通信プロトコルに対応する第１又は第２の電磁界検出器が、前記いずれかの通信プロトコルに対応する第１又は第２の問い合せ電磁界の受信を再び検出した後に、前記スタンバイ状態を離れ、且つ、
前記いずれかの通信プロトコルの再初期化手続きは、前記識別装置が前記スタンバイ状態を離れる時、及び／又は前記識別装置がこのスタンバイ状態を離れた後に、実行されることを特徴とする、プロトコル管理方法。
【請求項１０】
請求項９に記載のプロトコル管理方法であって、
前記いずれかの通信プロトコルの前記再初期化手続きは、もし前記スタンバイ状態に入るとき、まだ前記いずれかの通信プロトコルのリセットがなされていないならば前記いずれかの通信プロトコルのリセットと、プロトコル再構成と、を備えることを特徴とする、プロトコル管理方法。
【請求項１１】
請求項１０に記載のプロトコル管理方法であって、
前記プロトコル再構成は、前記初期プロトコル構成と同一であることを特徴とする、プロトコル管理方法。
【請求項１２】
請求項１０に記載のプロトコル管理方法であって、
前記再初期化手続きは、前記初期プロトコル構成に部分的に対応し、この通信プロトコルの幾つかの属性は、前記スタンバイ状態の間に、前記識別装置によって保管され、且つ再び読み出されないが、このことが当てはまるのは、もしこのスタンバイ状態の間にプログラムされないならば、又は、もしそのようなスタンバイ状態の間に、別の通信プロトコルによって再プログラムされないならば、という条件を満たす場合であることを特徴とする、プロトコル管理方法。
【請求項１３】
請求項９から１２のいずれか一項に記載のプロトコル管理方法であって、
前記装置構成に介入し、且つ前記いずれかの通信プロトコルに関連するデータは、前記再初期化手続きの間に再び読み出され、この読み出しは、特に、前記いずれかの通信プロトコル又は、このいずれかの通信プロトコルに対するプロトコル選択のための、許可された通信モードに関するデータの読み出しであることを特徴とする、プロトコル管理方法。
【請求項１４】
請求項３から５のいずれか一項に依存して、請求項９から１３のいずれか一項に記載のプロトコル管理方法であって、
前記いずれかの通信プロトコルに対応する第１又は第２インターフェースは、前記再初期化手続きの間に、再び活性化されることを特徴とする、プロトコル管理方法。
【請求項１５】
請求項１から１４のいずれか一項に記載のプロトコル管理方法であって、
前記第１問い合せ電磁界の前記第１周波数は、ＵＨＦ範囲内にあり、且つ前記第２問い合せ電磁界の前記第２周波数は、ＨＦ範囲内にあることを特徴とする、プロトコル管理方法。
【請求項１６】
請求項１５に記載のプロトコル管理方法であって、
前記第１通信プロトコルは、ＥＰＣ標準に従い、且つ前記第２通信プロトコルは、ＮＦＣ標準に従うことを特徴とする、プロトコル管理方法。
【発明の詳細な説明】
【技術分野】
【０００１】
本発明は、受動ＲＦ識別装置（ＲＦＩＤ）のためのプロトコル管理方法に関する。受動ＲＦ識別装置は、少なくとも第１周波数で第１問い合せ電磁界を送信する第１リーダから、及び第１周波数とは異なる第２周波数で第２問い合せ電磁界を送信する独立した第２リーダから、パワーを取り込むために配列される。そのような装置はまた、ＲＦＩＤトランスポンダ又はＲＦＩＤタグと命名され、且つ、カード又は他の任意の携帯型装置（例えば腕時計）に組み入れることが可能である。
【０００２】
特に、識別装置は、第１リーダと共に第１通信プロトコルを遂行するために配列された第１インターフェースと、第２リーダと共に第２通信プロトコルを遂行するために配列された第２インターフェースとを有する。更に、識別装置は発電装置を備え、発電装置は、次のことのために配置される。即ち、第１インターフェースが活性状態にあり、且つ第１通信プロトコルが実行される間に、第２リーダが、この識別装置に部分的又は完全にパワー供給することを可能にするため、及び、第２インターフェースが活性状態にあり、且つ第２通信プロトコルが実行される間に、第１リーダが、この識別装置に部分的又は完全にパワー供給することを可能にするためである。
【背景技術】
【０００３】
特許文献１は、ＵＨＦアンテナを備えるＵＨＦインターフェースと、ＬＦアンテナ及びＨＦアンテナを備える二重周波数ＬＦ−ＨＦインターフェースとを有する受動ＲＦＩＤトランスポンダを説明している。二重周波数ＬＦ−ＨＦインターフェースはＩＰ−Ｘプロトコルを遂行し、このＩＰ−Ｘプロトコルでは、ＬＦ復調器及びＨＦ変調器が使用される。注意するべきことであるが、二重周波数ＬＦ−ＨＦインターフェースは、同じ二重周波数リーダと通信することが意図される。受動ＲＦＩＤトランスポンダは、ＵＨＦ整流器とＬＦ整流器とを更に備え、これらは共に、このトランスポンダのための電源を生成することが可能である。特に、発電装置としてＬＦ整流器又はＵＨＦ整流器のいずれかを選択するために、決定回路が設けられるが、この選択は、どちらの整流器が最大の信号を送達するかに依存する。識別装置は、その発電装置から、ＵＨＦ通信プロトコルを実行するための、少なくとも第１の決定されたパワーレベル、及びＩＰ−Ｘプロトコルを実行するための、少なくとも第２の決定されたパワーレベルを必要とする。
【０００４】
受動ＲＦＩＤトランスポンダは、ＵＨＦ論理ユニット、ＩＰ−Ｘ論理ユニット及び単一の共有された不揮発性メモリ（ＥＥＰＲＯＭ）によって形成されるデジタルコントローラを更に備える。トランスポンダは、どの種類（複数を含む）のリーダが存在するかを検出するために、且つそれに応じて応答するために再列される。どのエネルギー源が存在するかに依存して、且つそのエネルギー源の強度に依存して、デジタルコントローラは、ＵＨＦ論理ユニット又はＩＰ−Ｘ論理ユニット若しくはその両方を選択し、且つ、ＵＨＦプロトコル又はＩＰ−Ｘプロトコル若しくはその両方を、それぞれ実行する。
【０００５】
ＲＦＩＤトランスポンダは、ＵＨＦ検出器及びＬＦ検出器を形成する検出器回路を備える。これらのＵＨＦ検出器及びＬＦ検出器は、１つ又は２つの通信プロトコルを始動する前に、ＵＨＦ励磁信号及びＬＦ励磁信号の存在をそれぞれ検出することが可能である。特許文献１は異なる状況を考慮しているだけであり、そこでは、トランスポンダは第１ＵＨＦリーダの電磁界、又は第２ＤＦリーダの電磁界（ＤＦは二重周波数に対して使用され、この場合はＬＦ−ＨＦにあたる）に入り、このことは、トランスポンダが、第１リーダ及び第２リーダの両方の電磁界に同時に入る場合も同様である。ＵＨＦリーダ及びＤＦリーダの両方が存在する、この最後の場合には、トランスポンダは、ＵＨＦ電磁界又はＬＦ電磁界若しくはこれら両方のいずれかから、パワーを上げるかもしれない。トランスポンダを動作させる方法は、次のステップを備える。即ち、ＵＨＦ励磁電磁界又はＬＦ励磁電磁界若しくはこれら両方のいずれかに曝露される間に、トランスポンダが、受信される励磁電磁界から自動的にパワーを上げ、且つ第１リーダ又は第２リーダ若しくはこれら両方のいずれかにおいて、応答することを引き起こすステップである。従って、この文献は、次の場合を考慮しているだけである。即ち、トランスポンダは、パワーダウン状態にあり、且つ、その後、１つの空間に入るが、その空間には、一方の電磁界又は他方の電磁界若しくはこれら両方の電磁界が存在しており、このことが、トランスポンダがパワーを上げる原因となる、という場合である。受動トランスポンダでは普通のことであるが、ＰＯＲ（パワーオン・リセット）機能が履行される。ＰＯＲ機能の目的は、このトランスポンダのパワーダウン状態とパワーアップ状態（パワーオン状態とも命名される）との間で変化が起こったことを検出し、且つ一方のプロトコル又は他方のプロトコル若しくはそれら両方を実行することを開始する前に、このトランスポンダをリセットすることである。
【０００６】
特許文献１は、例えば電磁界の一方が消失し、且つ他方は消失しない、といった状況を無視している。この文献は、次の事実に関連する幾つかの問題を考慮していない。その事実とは、２つのリーダは、少なくとも励磁電磁界の１つと通信している間、それぞれの励磁電磁界を識別装置に同時に提供することが可能であり、その結果、１つの通信プロトコルの実行において介入する問い合せ電磁界が、トランスポンダによって突然もはや受信されなくなる間も、トランスポンダは、パワーアップ状態／パワーオン状態に留まれる、ということである。
【先行技術文献】
【特許文献】
【０００７】
【特許文献１】国際公開第２０１１／１５９１７１号
【発明の概要】
【発明が解決しようとする課題】
【０００８】
本発明は先ず、受動的多重周波数トランスポンダに関連付けられる新しい問題の最重要点に関し、受動的多重周波数トランスポンダは、異なる、しかも独立したリーダと通信するように設計される。新しいＲＦＩＤ製品を開発する枠の中で、発明者らは、先行技術の上記トランスポンダに関する主な問題を明らかにした。実際に、先行技術文献は、パワーダウン状態にあるトランスポンダを考慮しており、このトランスポンダは、その後、このトランスポンダと通信可能な２つのリーダの、一方の電磁界、又は他方の電磁界、若しくは両方の電磁界を受信する。トランスポンダがパワーを上げると、このトランスポンダはリセットされ、且つ１つ又は２つのインターフェースが活性化され、そして、パワーオン信号の結果として、１つ又は２つの対応するプロトコルが実行され、且つパワーオン信号の励磁電磁界が検出される。従って、通信プロトコルの始動が、トランスポンダのＰＯＲ機能によって常に引き起こされるが、それは、単一周波数トランスポンダで履行される通りである。
【０００９】
特許文献１は、以下の状況を解析しておらず、且つ対応する以下の問題を解決しない。
Ａ）第１期間において、トランスポンダは、両方の問い合せ電磁界を受信し、且つ両方のリーダからパワーを取り込むことが可能である。その後、第１通信プロトコルを実行する間、トランスポンダは、対応する第１問い合せ電磁界をもはや受信しない。何故なら、例えば、他方のリーダから励磁電磁界を依然として受信している間に、トランスポンダ又は対応するリーダは、移動してしまったか、又はこの第１問い合せ電磁界をもはや正しく受信しないからである。そのような場合、たとえ対応する第１リーダが、パワーダウン状態にあるトランスポンダを駆動するための、自身の励磁電磁界の送信を停止するにしても、このトランスポンダは、第１通信プロトコルの継続を待ち続けるであろう。何故なら、トランスポンダはパワーダウンされないからである。他方のリーダの励磁電磁界は、依然としてトランスポンダにパワー供給するであろう。第１通信プロトコルは、従って、任意のステップにおいて停止させることが可能であろう。そして、第１通信プロトコルは対応する状態に留まるが、その対応する状態では、例えば、保護されたデータを、レジスタに維持することが可能であるか、又は不揮発性メモリの保護されたワードへのアクセスが、更なるリーダにとって容易に可能となるであろう。そのような状況は、従って、問題となり得るであろう。
Ｂ）項目Ａ）で説明された状況において、第１リーダは、第１通信プロトコルを新たに始動することを望むが、これは、トランスポンダをパワーダウンさせるために、励磁電磁界を送信するのを停止すること、及び、その後、ある一定の時間間隔の後、通常のように、トランスポンダをパワーアップすると共に、そのＰＯＲ機能を引き起こすために、励磁電磁界を再び送信するのを始動することによる。しかしながら、そのような伝統的な手続きは、中間状態に留まる第１通信プロトコルに対して、何の効果ももたらさないであろう。その結果、第１通信プロトコルは、このプロトコルを新たに実行することを可能にする、その初期状態に駆り立てられることはないであろう。そのような状況に長い時間留まることが可能であり、それは少なくとも、他のリーダが励磁電磁界を提供するのを停止するまで、そして恐らく更に、続く。何故なら、これの他のリーダが励磁電磁界を送信するのを停止する場合、第１リーダは、トランスポンダを既に励磁しており、且つＰＯＲ機能は、従って、未だ実行されないであろう、という理由のためである。
Ｃ）トランスポンダは、２つの独立したリーダと通信することが可能である。従って、もしトランスポンダが、両方のリーダによって最初にパワーアップされる場合、トランスポンダはリセットされ、且つ両方のプロトコルが構成されるであろう。その後、ＵＨＦプロトコルを最初に実行した後、ＵＨＦリーダは遮断され、且つＤＦリーダが、共有されたＮＶＭに幾つかのデータを書き込むために使用されるが、幾つかのデータとは、特にＵＨＦプロトコル構成に対するデータ、又は特定のプロトコル選択／モード選択に対するデータである。ある時間間隔の後、ＵＨＦプロトコルが新たな実行に対して準備できていると仮定して、ＵＨＦリーダは遮断され、且つこの新たな実行が行われる。これは問題となり得る。何故ならば、そのような新たな実行が、古いＵＨＦプロトコル構成に関して、依然として行われることになり、ＰＯＲ機能を引き起こす、連続したパワーダウン・ステップ及びパワーアップ・ステップの後で、トランスポンダが、リセットされると共に再構成されることには、ならなかったからである。
【課題を解決するための手段】
【００１０】
特に、上で確認された問題を解決するために、本発明は、本発明の領域において以前に与えられたタイプの受動識別装置のための、プロトコル管理方法に関する。そこでは、識別装置は、第１問い合せ電磁界のための第１電磁界検出器と、第２問い合せ電磁界のための第２電磁界検出器とを備え、第１電磁界検出器は、この第１問い合せ電磁界の受信を見守るために、第１通信プロトコルを実行する間に、少なくとも活性化され、第２電磁界検出器は、この第２問い合せ電磁界の受信を見守るために、第２通信プロトコルを実行する間に、少なくとも活性化される。そして、そこでは、識別装置は、その発電装置から、第１通信プロトコルを実行するための、少なくとも第１の決定されたパワーレベル、及び第２通信プロトコルを実行するための、少なくとも第２の決定されたパワーレベルを必要とする。発電装置によって提供されるパワーが、対応する第１又は第２の決定されたパワーレベルに等しいままか、又はこれよりも優勢なままである間に、もし、第１通信プロトコル及び第２通信プロトコルの中の、いずれかの通信プロトコルを実行する間に、対応する第１又は第２の問い合せ電磁界の受信が、対応する第１又は第２の電磁界検出器によってもはや検出されない場合、その時は、この通信プロトコルは停止され、且つ識別装置は、この通信プロトコルに関して、スタンバイ状態に入る。スタンバイ状態は、発電装置によって提供されるパワーが、対応する第１又は第２の決定されたパワーレベルに等しいままか、又はこれよりも優勢なままであるような状態である。識別装置が、第１又は第２の通信プロトコルに関連付けられたスタンバイ状態にある場合、対応する第１又は第２の電磁界検出器は、対応する第１又は第２の問い合せ電磁界を見守り続けるが、その目的は、この対応する第１又は第２の問い合せ電磁界が、識別装置によって再び受信されるかどうか、及び、もしそうである場合、第１又は第２の通信プロトコルの再始動を引き起こすかどうか、を検出することである。
【００１１】
本発明によるプロトコル管理方法のおかげで、通信プロトコルは、別のリーダから別の問い合せ電磁界を受信することのために、不確定な状態又は中間的な状態にもはや留まることはないであろう。このことが当てはまるのは、ＲＦ識別装置の発電装置によって提供されるパワーが、対応する決定されたパワーレベルに等しいままか、又はこれよりも優勢なままである間に、対応する問い合せ電磁界の受信が、通信プロトコルの間に中断される場合である。その後、関係付けられた通信プロトコルの再始動は、ＲＦ識別装置のＰＯＲ信号を必要としない。何故なら、ＲＦ識別装置の発電装置によって提供されるパワーが、対応する決定されたパワーレベルに等しいままか、又はこれよりも優勢なままである場合、そのような再始動は、対応する電磁界検出器の検出信号によってのみ引き起こされるであろう、という理由によるからである。更に、このリーダによって提供される問い合せ電磁界を中断することによって、通信プロトコルが停止され、且つ初期状態に戻らなければならないことを、通信プロトコルの最後で、対応するリーダが示す場合、トランスポンダは、この通信プロトコルに関して、スタンバイ状態に駆り立てられるであろう。リーダがその問い合せ電磁界の提供を再開する場合、このスタンバイ状態から、トランスポンダは、通信プロトコルの新たな実行を開始するであろう。
【００１２】
好ましい実施形態によれば、通信プロトコルは、識別装置がこの通信プロトコルに関してスタンバイ状態に入る場合、リセットされる。
【００１３】
特別な変形例において、識別装置が、通信プロトコルに関してスタンバイ状態に入る場合、この通信プロトコルを遂行する、対応するインターフェースは、少なくとも部分的に非活性化される。特に、対応するインターフェースのアナログ・フロントエンドは、対応する電磁界検出器が活性状態に留まる間に、非活性化される。
【００１４】
更なる好ましい実施形態において、識別装置がパワーオンした後、装置構成が実行され、且つこの通信プロトコルを最初に実行する前に、又は／及びこの通信プロトコルを最初に実行する間に、各構成プロトコルに対する初期プロトコル構成が実行される。その後、識別装置が、この通信プロトコルに関してスタンバイ状態を離れる時、又は／及び識別装置が前記スタンバイ状態を離れた後（何故なら、対応する電磁界検出器は、対応する問い合せ電磁界の受信を再び検出したため）、通信プロトコルの再初期化手続きが実行される。第１の主な変形例において、識別装置がスタンバイ状態を離れる場合、そのような再初期化手続きは、自動的な方法で完全に実行される。即ち、この再初期化手続きは、対応する電磁界検出器によって引き起こされ、且つその始動は、スタンバイ状態を離れるイベントを定義する。第２の主な変形例において、識別装置がこのスタンバイ状態を離れる場合、少なくとも再初期化手続きの一部分は、対応するリーダによって受信される少なくともコマンドに関連して行われ、この識別装置は、再初期化手続きの少なくとも一部分を実行するために、そのようなコマンドを待つ。
【００１５】
好ましい変形例において、通信プロトコルの再初期化手続きは、この通信プロトコルのリセットと、対応するスタンバイ状態及びに入る時、もし既に実施されていない場合には、プロトコル再構成とを備える。特定の変形例において、プロトコル再構成は、初期プロトコル構成に実質的に対応する。
【００１６】
特別な変形例において、装置構成において介入し、且つ通信プロトコルに関連するデータは、再初期化手続きの間に再び読み出され、特に、この通信プロトコルに対して許可された通信モード、又はこの通信プロトコルに対するプロトコル選択に関するデータの読み出しが行われる。これら装置構成データの再ローディングは、特に再初期化手続きの初期段階の間に行われる。しかしながら、注意するべきことであるが、再初期化手続きは初期ステップを有することが可能であり、そこでは、対応するインターフェースの少なくとも一部分が、スタンバイ状態の間に非活性化された場合、通信プロトコルが最初に活性化される。
【００１７】
一般的な実施形態において、第１問い合せ電磁界の第１周波数は、ＵＨＦ範囲内にあり、且つ第２問い合せ電磁界の第２周波数は、ＨＦ範囲内にある。主な変形例において、第１通信プロトコルは、ＥＰＣ標準に従い、且つ第２通信プロトコルは、ＮＦＣ標準に従う。
【００１８】
本発明は、添付された図面を参照しながら、続いてより詳細に説明されるであろう。ここで添付された図面は、例として与えられたものであり、決して例に限定されない。
【図面の簡単な説明】
【００１９】
【図１】図１は、本発明による、受動的二重周波数且つ二重プロトコルＲＦ識別装置の略図である。
【図２】図２は、図１の識別装置で履行される、本発明によるプロトコル管理方法の実施形態のブロック図である。
【発明を実施するための形態】
【００２０】
図１を参照しながら、本発明のプロトコル管理方法の履行を可能にするために配列された受動ＨＦ−ＵＨＦ識別装置２が、先ず説明されるであろう。この識別装置２は、ＵＨＦ電磁界を受信するためのＵＨＦアンテナ４と、ＵＨＦアナログ・フロントエンド８（ＵＨＦ  ＡＦＥ）及び、全体的な論理回路１２の一部分であるＵＨＦ論理ユニット１０（プロトコル＿１論理ユニット）によって形成されるＵＨＦインターフェース６とを備える。装置２はまた、ＨＦ電磁界を受信するためのＨＦアンテナ１４と、ＨＦアナログ・フロントエンド１８（ＨＦ  ＡＦＥ）及び、これもまた論理回路１２の一部分であるＨＦ論理ユニット２０（プロトコル＿２論理ユニット）によって形成されるＨＦインターフェース１６とを備える。装置２は、不揮発性メモリ手段２６と、論理回路１２によってサポートされる装置リセット手段と、供給電圧Ｖsupを提供する発電装置２２と、パワー管理ユニット２４とを備える。ＵＨＦインターフェースは、ＵＨＦプロトコル（プロトコル＿１）を遂行するために配列され、且つＨＦインターフェースは、ＨＦプロトコル（プロトコル＿２）を遂行するために配列される。不揮発性メモリ手段は、第１不揮発性メモリ２８（第１ＮＶＭ)及び第２不揮発性メモリ３０（第２ＮＶＭ）によって形成される。論理回路１２は、インターフェース６及びインターフェース１６の両方に共通する動作、又はこれらのインターフェースの一方又は他方に専用の動作をサポートし、同様に、パワー管理ユニット及び不揮発性メモリに関連する一般的な機能、及び主にＵＨＦプロトコルに関連する持続性フラグ３２に関連する機能をサポートする。これらの持続性フラグは、アナログ回路の一部分であり、且つコンデンサによって形成される。
【００２１】
発電装置は、受動装置２が、ＨＦアンテナによって受信された入射ＨＦ問い合せ電磁界から、及びＵＨＦアンテナによって受信された入射ＵＨＦ問い合せ電磁界から、パワーを取り込むことが可能であるように配列される。従って、発電装置は、受信されたＵＨＦ問い合せ電磁界のための第１整流手段と、受信されたＨＦ問い合せ電磁界のための第２整流手段とを備える。少なくとも第１整流手段によって発生されたパワーが、第２整流手段によって発生されたパワーよりも高い場合、第１整流手段が装置に供給電圧を提供するように、発電装置及びパワー管理ユニットは配列される。パワー管理ユニットは、少なくとも、もし発電装置の出力で利用可能なパワーがある一定の決定されたパワーレベルに達したと仮定して、且つ、その結果、この情報を論理回路１２に伝達するかどうかを検出するために配列される。即ち、このパワー管理ユニットは、発電装置が受動装置２に提供できるパワーが、少なくともある所定の閾値に達したかどうかを検知している。第１変形例において、発電装置は、ＨＦ問い合せ電磁界及びＵＨＦ問い合せ電磁界の両方が、受動装置に同時に給電することが可能であり、その装置上で独立にインターフェースが活性化されるように、配列される。第２変形例において、パワー管理ユニットは、第１整流器及び第２整流器の中でどちらの整流器がより高いパワーを送達するかを決定し、且つ受動装置２に給電するために、この整流器を選択する。
【００２２】
好ましい変形例において、受動識別装置２は、第１不揮発性メモリ２８（第１ＮＶＭ）がパワー供給され、且つ第２不揮発性メモリ３０（第２ＮＶＭ）にパワー供給することなく、活性状態にあることが可能であるように、配列される。従って、ＵＨＦインターフェースにとっては、少なくとも読み出しモードにおいて、第１ＮＶＭに対してのみアクセスを有することが可能である。第１ＮＶＭは、読み出しモードにおいて実質的に第１パワーを消費し、且つ第２ＮＶＭは、読み出しモードにおいて実質的に第２パワーを消費し、第２パワーは、第１パワーよりも実質的に高い。その効果として、第１ＮＶＭ２８は、第２ＮＶＭ３０よりも小さなサイズを有する。例えば、第１ＮＶＭはわずかに５７６ビットを有し、且つ第２ＮＶＭは２６８８ビットを有する。しかしながら、この特別な実施形態において、第１不揮発性メモリ２８は、装置構成のために必要とされるデータを備える。第１不揮発性メモリ２８は、ＵＨＦプロトコルの、少なくともある与えられた通信モードの構成（一般には、プロトコル＿１と命名される）に対して必要とされる属性を更に備える。
【００２３】
パワー管理ユニットは、
・発電装置によって提供され、且つ本装置によって遂行されるべきＵＨＦプロトコルの第１通信モード（プロトコル＿１）に対して必要とされる第１の決定されたパワーレベルと、
・発電装置によって提供され、且つ第１の決定されたパワーレベルよりも実質的に高い第２の決定されたパワーレベルであって、この第２の決定されたパワーレベルは、識別装置によって遂行されるべきＨＦプロトコルのある与えられた通信モード（一般にプロトコル＿２と命名される）に対して要求されるものである、第２の決定されたパワーレベルと、
を少なくとも検出するために、配列される。
【００２４】
ＨＦプロトコルのある与えられた通信モードは、第２不揮発性メモリ３０に対してアクセスを有するが、第２不揮発性メモリ３０は、従って、この通信モードが活性である場合、パワー供給される必要がある。ＨＦプロトコルの通信モードの、少なくとも最終構成段階（プロトコル＿２）に対して必要とされる属性は、第２ＮＶＭに格納される。
【００２５】
本装置は、プロトコル＿１の初期構成及び、プロトコル＿１の最初の実行をその後可能にするために、更に配列されるが、このことが当てはまるのは、発電装置によって提供されるパワーが、第１の決定されたパワーレベルに等しいか、又はこれよりも優勢な場合である。最後に、本装置は、第２不揮発性メモリと一緒の、ＨＦインターフェースの完全な活性化を可能にするために、配列されるが、このことが当てはまるのは、発電装置によって提供されるパワーが、第２の決定されたパワーレベルに等しいか、又はこれよりも優勢な場合だけである。
【００２６】
識別装置は、装置リセット手段が活性化され、且つ、その後、初期装置構成が実行されることを可能にするために、配列されるが、このことが当てはまるのは、発電装置によって提供されるパワーが、第１の決定されたパワーレベルに等しいか、又はこれよりも優勢な場合であり、これらのステップは、第１の決定されたパワーレベルに関して、識別装置で履行される伝統的なＰＯＲ機能によって発生されるＰＯＲ信号によって引き起こされる。その後、ＵＨＦプロトコルの初期構成は、このＵＨＦプロトコルの初期リセットの後で実行される。この初期構成は、自動的に、又はなるべくなら実施されるが、このことが当てはまるのは、対応するＵＨＦ問い合せ電磁界が、ＵＨＦ電磁界検出器３６によって検出された場合だけである。
【００２７】
本発明の受動ＲＦ識別装置の主な実施形態によれば、この識別装置は、第１周波数で第１問い合せ電磁界を送信する第１リーダから、及び第１周波数とは異なる第２周波数で第２問い合せ電磁界を送信する独立した第２リーダから、パワーを取り込むために、一般に配列される。この識別装置は、第１リーダと共に第１通信プロトコル（プロトコル＿１）を遂行するように配列された第１インターフェースと、第２リーダと共に第２通信プロトコル（プロトコル＿２）を遂行するように配列された第２インターフェースとを有する。この識別装置は発電装置を備え、この発電装置が配列されるのは、第１インターフェースが活性状態にあり、且つ第１通信プロトコルが実行される間に、第２リーダがこの識別装置に部分的又は完全にパワー供給することを可能にするため、及び、第２インターフェースが活性状態にあり、且つ第２通信プロトコルが実行される間に、第１リーダがこの識別装置に部分的又は完全にパワー供給することを可能にするためである。そこでは識別装置は、発電装置から、第１通信プロトコルを実行するための、少なくとも第１の決定されたパワーレベル、及び第２通信プロトコルを実行するための、少なくとも第２の決定されたパワーレベルを必要とする。
【００２８】
本発明によれば、受動識別装置は、第１問い合せ電磁界のための第１電磁界検出器３６と、第２電磁界のための第２電磁界検出器とを更に備える。第１電磁界検出器３６は、この第１問い合せ電磁界の受信を見守る／監視するために、第１通信プロトコルを実行する間は、少なくとも活性化される。第２電磁界検出器３８は、この第２問い合せ電磁界の受信を見守る／監視するために、第２通信プロトコルを実行する間は、少なくとも活性化される。
【００２９】
本発明によれば、受動ＲＦ識別装置のための、プロトコル管理方法の一般的な実施形態は、次のように特徴付けられる。即ち、第１通信プロトコル及び第２通信プロトコルの中のいずれかの通信プロトコルを実行する間に、そして発電装置によって提供されるパワーが、対応する第１又は第２の決定されたパワーレベルに等しいままか、又はこれよりも優勢なままである間に、もし対応する第１又は第２問い合せ電磁界の受信が、対応する第１電磁界検出器３６又は第２電磁界検出器３８によってもはや検出されない場合、その時は、この通信プロトコルは停止され、且つ識別装置は、この通信プロトコルに関してスタンバイ状態に入る。このスタンバイ状態は、発電装置によって提供されるパワーが、対応する第１又は第２の決定されたパワーレベルに等しいままか、又はこれよりも優勢なままであるような状態である。識別装置が上述のスタンバイ状態にある場合、対応する第１又は第２の電磁界検出器は、対応する第１又は第２の問い合せ電磁界の受信を見守る／監視することを継続するが、その目的は、この対応する第１又は第２の問い合せ電磁界が識別装置によって再び受信されるかどうか、及び、もしそうである場合、関係付けられた通信プロトコルの再始動を引き起こすかどうか、を検出することである。
【００３０】
本発明のプロトコル管理方法の主な実施形態、及び多様な変形例が、図２を参照しながら以下で説明されるであろう。
【００３１】
関連付けられるリーダの、少なくともいずれか１つの問い合せ電磁界に入る前は、識別装置２（以下ではトランスポンダとも命名される）は、パワーダウン状態にある。これらのリーダの少なくとも１つの通信空間に入る場合、トランスポンダ２は、発電装置２２に供給することになる、少なくとも１つの問い合せ電磁界の受信を開始するであろう。そして我々は、この発電装置が、その後、トランスポンダを活性化するのに十分に高い、少なくとも第１の決定されたパワーレベルを提供し、その結果、このトランスポンダは、初期状態「装置Ｐ＿ＯＮ」にあると、仮定する。伝統的なＰＯＲ機能は、その後、トランスポンダを最初にリセットする論理回路１２を活性化する。その後、トランスポンダは、ステップ「装置構成」において構成され、そこでは特に、トリミング値が、ＵＨＦ振動子のトリミングのために、そして電圧参照及び電流参照を設定するために、第１ＮＶＭ２８において読み出される。この装置構成はまた、トランスポンダによって要求されるセキュリティレベル（例えば、パスワード要求）、通信モード又は許可されたプロトコルの選択、必要ならば表示装置など、に関連する更なる機能に関する。
【００３２】
装置構成の後、又は装置構成の間、トランスポンダは、可能なプロトコル（プロトコル＿１及びプロトコル＿２）のいずれか１つによって要求されるパワーレベルが、利用可能であるかどうかをチェックするために、パワーレベルを検知する。以下では、我々は、これは一般的なプロトコル＿１に対する場合である、と仮定する。要求されるパワーレベルに到達してしまう前に、プロトコルはオフ状態、即ち、非活性状態にある。この状態では、対応するインターフェースの幾つかの部分、及び関連付けられる不揮発性メモリの幾つかの部分は、既に活性化されているかもしれないが、しかし対応するインターフェースがプロトコル＿１を遂行することを可能にするには、十分なパワーとなっていない。プロトコル＿１に対して要求されるパワーレベルが、パワー検出手段によって検出された後、このプロトコル＿１はオン状態（Ｐ＿ＯＮ状態）であると共に活性化されるが（そのような活性化は、特に、もし自身にアクセスするための要求が受信される場合にのみ活性化される、あるＮＶＭに対して、段階的に行われる）、これは、図２の更なる説明において、仮定されている通りである。その後、プロトコル＿１初期構成が実行され、且つこのプロトコル＿１に従う通信が行われる（プロトコル＿１の実行）。多様な変形例が、Ｐ＿ＯＮでのプロトコル活性化の後に履行されてもよいが、これは、ＵＨＦ−ＥＰＣプロトコルの説明、及びＨＦ−ＮＦＣプロトコルの説明の後で、より明らかとなるであろう。これらの変形例の中で、我々は、以下の変形例を既に述べることが可能である。
Ａ）プロトコル＿１のＰ＿ＯＮが検出された場合、その時は、トランスポンダは、プロトコル＿１を、特に関連付けされたインターフェースを完全に活性化する前に、対応する問い合せ電磁界が、対応する電磁界検出器によって検出されるかどうかをチェックする。
Ｂ）プロトコル＿１を完全に活性化する前に、初期構成の第１ステップが、既に実行されてもよい。
Ｃ）プロトコル＿１の初期構成は、Ｐ＿ＯＮを検出した結果として、自動的に始動するか、又は、少なくとも最終ステップに対して、対応する問い合せ電磁界を送信する、関連付けられたリーダからコマンドを要求してもよい。
Ｄ）初期構成は、以下の２つの条件を満たす場合、実行してもよい。１つ目の条件は、もし対応する問い合せ電磁界が、対応する電磁界検出器によって依然として検出されるならば、という条件を満たす場合に限られ、しかもそのような検出が、プロトコル＿１活性化のために、既に履行された場合、という条件を伴う。２つ目の条件は、活性化がＰ＿ＯＮ検出によってのみ引き起こされる場合、もし対応する問い合せ電磁界が、対応する電磁界検出器によって検出されるならば、という条件を満たす場合である。
【００３３】
従って、各通信プロトコルに対する初期プロトコル構成は、この通信プロトコルを最初に実行する前に、又は／及びこの通信プロトコルを最初に実行する間に、実行される。
【００３４】
少なくともプロトコル＿１通信の実行中に、及び好ましくは既に初期構成の間に、トランスポンダによるこの問い合せ電磁界の受信が継続しているか、そうでないかを検出するために、対応する電磁界検出器は、対応する問い合せ電磁界の存在を検知し続ける。もし問い合せ電磁界の受信がそのままである場合、その時は、プロトコル＿１の実行が通常通り継続される。しかしながら、もしこの受信がもはや検出されない場合、トランスポンダは、プロトコル＿１に関してスタンバイ状態に入る。我々は、プロトコル＿１に対するＰ＿ＯＮ状態は依然として有効である、と仮定し続ける。
【００３５】
有利な変形例によれば、トランスポンダが、プロトコル＿１に関してスタンバイ状態に入る場合、プロトコル＿１はリセットされる。
【００３６】
特別な実施形態によれば、トランスポンダが、プロトコル＿１に関してスタンバイ状態に入る場合、プロトコル＿１を遂行する、対応するインターフェースは、少なくとも部分的に非活性化される。第１変形例において、対応するインターフェースのアナログ・フロントエンド（ＡＦＥ）は非活性化され、その一方で、対応する電磁界検出器は活性状態に留まる。第２変形例において、トランスポンダが、プロトコル＿１に対してスタンバイ状態にある場合、対応するインターフェースの論理ユニットは、少なくとも部分的に非活性化される。
【００３７】
定義されたスタンバイ状態は１つの状態に関係し、その状態では、関連付けされたプロトコルは活性化され、且つそのＰ＿ＯＮ状態にあり得るであろう、ということに注意するのは重要である。特定の実施形態において、スタンバイ状態及び非活性化状態（プロトコルＰ＿ＯＦＦ）は、関係付けられたプロトコルに対するＰ＿ＯＮ検出の論理状態によってのみ、区別され得るであろう。にもかかわらず、そのような差異は妥当である。何故ならば、プロトコルが、Ｐ＿ＯＦＦ検出において少なくとも部分的に非活性化され、且つ、その後、各新しいＰ＿ＯＮ検出において、対応するインターフェースの活性化を常に経験し、且つこのプロトコルの構成を実行するように、トランスポンダが配列されてもよいからである。このことは部分的な非活性化を意味し、新しい活性化及びそれに続く構成は、伝統的なトランスポンダにおいては、それぞれ、プロトコルＰ＿ＯＮ状態からプロトコルＰ＿ＯＦＦ状態への、プロトコルＰ＿ＯＦＦ状態からＰ＿ＯＮ状態への各遷移において、パワーレベル検出によって引き起こされる。しかしながら、スタンバイ状態に入る前に、及びこのスタンバイ状態において、Ｐ＿ＯＦＦ検出／Ｐ＿ＯＮ検出は存在しない。何故なら、それぞれ、Ｐ＿ＯＮ状態からＰ＿ＯＦＦ状態への、Ｐ＿ＯＦＦ状態からＰ＿ＯＮ状態への遷移は存在しないからである。それ故に、もし、関連するスタンバイ状態の間、発電装置によって提供されるパワーが、対応する、要求されるパワーレベル未満に落ちる場合、トランスポンダは、関係付けられた通信プロトコルに関して、非活性化状態に入る。もし発電装置によって提供されるパワーが、要求されるパワーレベルに再び等しいか、又はこれよりも優勢な場合、トランスポンダは、この非活性状態を離れる。
【００３８】
主な実施形態によれば、対応する電磁界検出器が、対応する問い合せ電磁界の受信を再び検出した後に、識別装置は、プロトコル＿１に関連付けられたスタンバイ状態を離れ、且つ、識別装置がこのスタンバイ状態を離れる場合、及び／又は識別装置がこのスタンバイ状態を離れた後、プロトコル＿１の再初期化手続きが実行される。
【００３９】
一般に、プロトコル＿１の再初期化手続きは、このプロトコル＿１のリセットを備えるが、このことが当てはまるのは、スタンバイ状態に入る時、もしそのようなリセットが以前になされていないならば、という条件を満たす場合である。その後、好ましい実施形態において、プロトコル再構成が実行される。第１変形例において、プロトコル再構成は、前に述べた初期プロトコル構成に、実質的に対応する。第２変形例において、再初期化手続きは、初期プロトコル構成に部分的に対応し、関係付けられた通信プロトコルの幾つかの属性は、関連するスタンバイ状態の間に、識別装置によって保管される。そして、もし、この関連するスタンバイ状態の間に再プログラム化されないか、又はもしそのような関連するスタンバイ状態の間に、別の通信プロトコルによって再プログラム化されない状態である場合、それら幾つかの属性は、再び読み出されることはない。
【００４０】
特別な変形例において、装置構成に介入し、且つ関係付けられる通信プロトコルに関連するデータは、再初期化手続きの間に再び読み出され、特に、この通信プロトコル（特に、「ミュートモード」）又はこの通信プロトコルに対するプロトコル選択（特に、プロトコルに関連付けられる「キル（ｋｉｌｌ）」ビットの読み出し）に対して、許可された通信モードに関するデータの再ローディングの間に、再び読み出される。
【００４１】
トランスポンダが関連するスタンバイ状態に入る時、プロトコル＿１の対応するインターフェースが少なくとも部分的に非活性化される場合には、このインターフェースは、再初期化手続きの間に、特にこの再初期化手続きの初期段階の間に、再び活性化される。
【００４２】
本発明の特別な実施形態は、二重周波数且つ二重プロトコルのトランスポンダに関する。このトランスポンダは、ＵＨＦ範囲内にある第１周波数を有する第１問い合せ電磁界を送信する第１リーダ、及びＨＦ範囲内にある第２周波数を有する第２問い合せ電磁界を送信する、独立した第２リーダと通信することが可能である。トランスポンダは、第１リーダに関してＥＰＣ標準（ＥＰＣプロトコル）に従う第１通信プロトコルを、及び第２リーダに関してＮＦＣ標準（ＮＦＣプロトコル）に従う第２通信プロトコルを実行するために、配列される。以下では、図１のトランスポンダ２に対して、ＥＰＣプロトコル、ＮＦＣプロトコルに対するプロトコル管理方法をそれぞれ履行する場合の、幾つかの特定の特徴が説明されるであろう。従って、以下では、プロトコル＿１は、図１において、ＥＰＣプロトコルに対応し、且つプロトコル＿２はＮＦＣプロトコルに対応する。しかしながら、図２を参照しながら、プロトコル＿１に対して以前に与えられた教示は、適用可能な場合には、ＥＰＣプロトコル、又はＮＦＣプロトコルのいずれかに対して、若しくはＥＰＣプロトコル及びＮＦＣプロトコルの両方に対して有効である。
【００４３】
トランスポンダ２において、装置Ｐ＿ＯＮのためのパワーレベルは、ＥＰＣプロトコルの制限された通信モードの実行に対して要求されるパワーレベル（ＥＰＣ−Ｐ＿ＯＮ）と同一である。従って、装置Ｐ＿ＯＮで、トランスポンダ２はリセットされ、且つ装置構成は、その後、実行される。ＥＰＣプロトコルの制限された通信モードは、その後、活性化され（ＵＨＦインターフェース、及び第１ＮＶＭ２８だけが活性化される）、且つＥＰＣプロトコルの初期構成が、直接行われることが可能である。特別な変形例において、この初期構成は、ＥＰＣ−Ｐ＿ＯＮに対応する装置Ｐ＿ＯＮ検出によって、引き起こされる。第２ＮＶＭ３０へのアクセスを有する、ＥＰＣ拡張された通信モードは、より高いパワーレベルで行われることが可能であるが、このより高いパワーレベルもまた、パワー検出手段によって検出されるであろう。トランスポンダ２は、ＮＶＭに加えて、コンデンサによって形成される持続性フラグを備える。ここでコンデンサは、ＥＰＣプロトコルを実行する間に、周期的に充電されなければならない。トランスポンダ２がＥＰＣプロトコルに関連するスタンバイ状態に入る場合、これら持続性フラグの再充電は無効となり、且つＥＰＣプロトコルはリセットされる。ＵＨＦ問い合せ電磁界が新たに検出される場合、トランスポンダは、ＥＰＣプロトコルに関してスタンバイ状態を離れ、且つＥＰＣプロトコルのための再初期化手続きが、その後、自動的に実行される。
【００４４】
ＥＰＣ再初期化手続きでは、ＥＰＣプロトコルは、その初期状態において設定され、且つＥＰＣプロトコルの再構成が行われる。このＥＰＣ再構成は、ＥＰＣ初期構成に実質的に対応する。従って、ＥＰＣ再構成は、特に、（ＥＰＣプロトコルに固有の）格納されたＣＲＣを新たに計算すること、第１ＮＶＭ２８に関連するメモリ・ロック・ビット、第２ＮＶＭ３０に関連する共有ロック・ビット、及び更にはこれらのＮＶＭに対する断裂防止保護状態ビットを読み出すこと／再ロードすること、から成る。注意するべきことであるが、これらのロック・ビット及び状態ビットは、ＥＰＣプロトコルに関して、スタンバイ状態の間に、ＮＦＣプロトコルを介して、修正しておくことも可能である。更に注意するべきことであるが、共有ロック・ビット及び、第２ＮＶＭ３０に対する断裂防止保護状態ビットは、第２ＮＶＭにアクセスするための特定の要求が受信される場合にのみ、リフレッシュすることが可能である。従って、拡張された通信モードに対して、ＥＰＣ再構成の一部分は、拡張された通信モードが履行される直前に、行われる。更に、これら共有ロック・ビット及び状態ビットのリフレッシュは、第２ＮＶＭにアクセスするための各要求の際に行うことが可能であるが、このことが当てはまるのは、具体的には、そのような要求に関係付けられる第２ＮＶＭの一部分に対して、十分なパワーが利用できる場合である。これはまた、拡張された通信モードの初期構成のフレームにおける場合であってもよい。
【００４５】
ＮＦＣプロトコルに関して、ＨＦインターフェースは、ＮＦＣプロトコルの活性化後に、ＮＦＣ通信を実行するための準備がでているが、このことが当てはまるのは、そのような実行に対して要求されるパワーレベル（ＮＦＣ−Ｐ＿ＯＮ）が利用可能であり、ＮＦＣ−Ｐ＿ＯＮがＥＰＣ−Ｐ＿ＯＮよりも実質的に高い場合である。従って、ＮＦＣプロトコル／インターフェースの活性化は、トランスポンダＰ＿ＯＮ検出に続く、ある一定の時間期間の後に、起こるかもしれない。ＮＦＣプロトコルの初期構成（このＮＦＣプロトコルに具体的に関連する属性）が、その後行われるが、これは、第２ＮＶＭ３０におけるＮＦＣプロトコルの特定の属性を読み出すことによって、関連付けられたＮＦＣリーダからの第１要求を受信した後でのみ、特にこのＮＦＣリーダへの応答を送信する間に行われる。
【００４６】
ＨＦプロトコル（ＮＦＣプロトコル）に対するスタンバイ状態において、少なくともＨＦインターフェースが、好ましくは非活性化される。その後、特別な変形例において、このＮＦＣ通信プロトコルを遂行するＨＦインターフェースに関連付けられた第２不揮発性メモリ３０もまた、識別装置がＮＦＣスタンバイ状態に入る場合に、非活性化されるが、これが当てはまるのは、もしこの第２ＮＶＭが、その時、拡張されたＵＨＦ通信モードを実行するＵＨＦ通信インターフェースと共有されないならば、という条件を満たす場合である。別の変形例において、第２ＮＭＶの活性化及び非活性化は、スタンバイ状態に入る、又はスタンバイ状態を離れることによって、引き起こされることはなく、且つ活性化はまた、この第２ＮＶＭへのアクセス、又は拡張されたＵＨＦ通信モードを実行することを要求するＵＨＦコマンドによっては引き起こされず、しかし発電装置が提供するパワーレベルによってのみ引き起こされる。この最後の場合では、発電装置が提供できるパワーレベルが、（前述の）第１の決定されたパワーレベルと第２の決定されたパワーレベルとの間にある第３の決定されたパワーレベルに達する場合、又は単純化された変形例では、この第２の決定されたパワーレベルに達する場合、第２ＮＶＭは活性化され、且つ、パワーレベルが、それぞれ第３の決定されたパワーレベル、第２の決定されたパワーレベル未満に再び落ちるまで、活性化されたままであろう。識別装置がＮＦＣスタンバイ状態に入った時に、ＨＦインターフェース及び／又は第２ＮＶＭが非活性化される場合、ＨＦインターフェース及び第２ＮＶＭは、再初期化手続きのステップとして、再び活性化されるであろう。このことが当てはまるのは、識別装置がこのＮＦＣスタンバイ状態を離れる時、又は識別装置がこのＮＦＣスタンバイ状態を離れた後、即ち、ある一定の遅延又は時間間隔の後であり、この間に、装置は再初期化手続きの別の初期ステップ（例えば、装置構成データに特に関連する部分的な再構成）を実行することが可能である。もしこの部分的な再構成が、ＮＦＣ通信モードが「ミュート」モードになったことを示す場合（ミュートモードでは、識別装置によって受信されるＨＦ電磁界は、励磁電磁界としてのみ、使用される）、識別装置は、ＮＦＣプロトコルに関して継続する再初期化手続きを停止し、且つ一般にはＮＦＣインターフェースを非活性化するであろう。
【００４７】
ＮＦＣスタンバイ状態を離れた後、且つ再初期化手続きの第１ステップが実行された後（通信モード選択又は実際に許可されたプロトコルに対する構成データの読み出し、ＮＦＣインターフェースの活性化及び、ＮＦＣプロトコルを仮定した第２ＮＶＭの活性化が実行され得る）、識別装置は、ＨＦ−ＮＦＣリーダからの第１要求（第１コマンド）を待つ。そのような要求が受信されると、ＮＦＣプロトコルは、このＮＦＣプロトコルの属性を読み出すこと／再ロードすることによって、更に再構成され、且つＮＦＣプロトコルは更に実行されるであろう。例えば、これらの属性は、断裂防止保護状態ビットと同様に、メモリ・ロック・ビット（第２ＮＶＭに関連する）及び共有ロック・ビット（第１ＮＶＭに関連する）である。再構成の最終段階は、識別装置のパワーオンの後で、ＮＦＣ通信プロトコルを最初に実行する間に行われる初期構成と、一般に同一である。一般的な場合、再構成の、この最終段階は、関係付けられるプロトコルの初期構成と、部分的に異なることが可能である。
【００４８】
ＵＨＦ電磁界検出器及びＨＦ電磁界検出器は、第１変形例では周波数検出器（周波数弁別器）によって、又は第２変形例では電圧検出器によって、それぞれ形成することが可能であり、これらの検出器は、ＵＨＦ整流器の後に、ＨＦ整流器の後に、それぞれ配列される（この電圧検出器は、与えられた電圧レベルに達したかどうかを検出する）。特定の変形例において、電磁界検出器はまた、前段検出器を備えてもよく、この前段検出器は、搬送周波数で、ある一定の変調が起こることを示す。
【符号の説明】
【００４９】
４  ＵＨＦアンテナ
８  ＵＨＦ  ＡＦＥ
１０  プロトコル＿１論理ユニット
１２  論理回路
１４  ＨＦアンテナ
１８  ＨＦ  ＡＦＥ
２０  プロトコル＿２論理ユニット
２２  発電装置
２４  パワー管理ユニット
２８  第１ＮＶＭ
３０  第２ＮＶＭ
３２  持続性フラグ
３６  ＵＨＦ電磁界検出器
３８  ＨＦ電磁界検出器
【図１】
0006279646.tif 000002
【図２】
0006279646.tif 000003